(57)【要約】【課題】専用の試験装置を備えることなく、基地局装置の動作監視を行うことができる基地局装置を提供する。【解決手段】試験項目の情報が記憶された試験項目記憶手段と、状態報告要求を移動端末に対して送信し、該状態報告要求に対する応答である使用状態報告情報を該移動端末から受信する端末状態情報収集手段と、受信した使用状態報告情報に基づいて、試験項目記憶手段に記憶されている試験項目を選択する試験項目選択手段と、選択した試験項目の情報を試験項目記憶手段から読み出し、該試験項目の情報を含む試験実施要求を移動端末に対して送信し、該試験実施要求に対する応答である試験結果報告情報を該移動端末から受信する試験結果情報収集手段と、試験結果報告情報の妥当性を判定する妥当性判定手段とを備えた。【選択図】図１
2008011516.tif 000002
【特許請求の範囲】
【請求項１】
試験項目の情報が記憶された試験項目記憶手段と、
状態報告要求を移動端末に対して送信し、該状態報告要求に対する応答である使用状態報告情報を該移動端末から受信する端末状態情報収集手段と、
受信した前記使用状態報告情報に基づいて、前記試験項目記憶手段に記憶されている試験項目を選択する試験項目選択手段と、
前記選択した試験項目の情報を前記試験項目記憶手段から読み出し、該試験項目の情報を含む試験実施要求を前記移動端末に対して送信し、該試験実施要求に対する応答である試験結果報告情報を該移動端末から受信する試験結果情報収集手段と、
前記試験結果報告情報の妥当性を判定する妥当性判定手段と
を備えたことを特徴とする基地局装置。
【請求項２】
移動端末における通信状態の情報に基づいて、該移動端末との間で通信を確立した基地局装置の動作試験を行う基地局試験システムであって、
前記基地局装置は、
状態報告要求を移動端末に対して送信し、該状態報告要求に対する応答である使用状態報告情報を該移動端末から受信する端末状態情報収集手段と、
受信した前記使用状態報告情報に基づいて、前記試験項目記憶手段に記憶されている試験項目を選択する試験項目選択手段と、
前記選択した試験項目の情報を前記試験項目記憶手段から読み出し、該試験項目の情報を含む試験実施要求を前記移動端末に対して送信し、該試験実施要求に対する応答である試験結果報告情報を該移動端末から受信する試験結果情報収集手段と、
前記試験結果報告情報の妥当性を判定する妥当性判定手段とを備え、
前記移動端末は、
前記基地局装置から状態報告要求を受信し、該状態報告要求に対する応答である使用状態報告情報を前記基地局装置に対して送信する端末状態情報応答手段と、
前記試験項目の情報を含む試験実施要求を前記基地局装置から受信し、該試験実施要求に対する応答である試験結果報告情報を前記該基地局装置に対して送信する試験結果情報応答手段と
を備えたことを特徴とする基地局試験システム。
【請求項３】
前記使用状態報告情報には、前記移動端末に備えた２次電池に対する充電状態の情報を含むことを特徴とする請求項２に記載の基地局試験システム。
【請求項４】
前記使用状態報告情報には、前記移動端末の姿勢の情報を含むことを特徴とする請求項２に記載の基地局試験システム。
【請求項５】
前記使用状態報告情報には、前記移動端末の位置情報を含むことを特徴とする請求項２から３のいずれか一項に記載の基地局試験システム。
【請求項６】
前記移動端末は、加速度を検出する検出手段をさらに含み、
前記使用状態報告情報には、前記検出手段が検出した加速度に基づく情報を含むことを特徴とする請求項２から５のいずれか一項に記載の基地局試験システム。
【請求項７】
試験項目の情報が記憶された試験項目記憶手段を備えた基地局装置と、該基地局装置との間で無線通信を確立する移動端末における通信状態の情報に基づいて、前記基地局装置の動作試験を行う基地局試験システムにおける基地局試験方法であって、
前記基地局装置から状態報告要求を前記移動端末に対して送信し、該状態報告要求に対する応答である使用状態報告情報を該移動端末から前記基地局装置に対して送信する端末状態情報収集ステップと、
前記基地局装置が、受信した前記使用状態報告情報に基づいて、前記試験項目記憶手段に記憶されている試験項目を選択する試験項目選択ステップと、
前記基地局装置が、前記選択した試験項目の情報を前記試験項目記憶手段から読み出し、該試験項目の情報を含む試験実施要求を前記移動端末に対して送信し、該試験実施要求に対する応答である試験結果報告情報を前記移動端末から前記基地局装置に対して送信する試験結果情報収集ステップと、
前記基地局装置が、前記試験結果報告情報の妥当性を判定する妥当性判定ステップと
を有することを特徴とする基地局試験方法。
【発明の詳細な説明】
【技術分野】
【０００１】
本発明は、専用の試験装置を備えることなく、基地局装置の動作監視を行うことができる基地局装置、基地局試験システム及び基地局試験方法に関する。
【背景技術】
【０００２】
従来から無線通信システムの正常性確認及び無線特性試験を行うために、基地局に基地局試験用擬似端末を装備し、基地局と擬似端末との間で通信を行うことにより、基地局が正常に動作しているか否かを判定する無線基地局試験装置が知られている（例えば、特許文献１参照）。この無線基地局試験装置は、試験種別情報に応じて、（１）端末機能部の送信電力に基づき電圧定在波比を求める空中線障害試験、（２）パケットエラーレートを所定範囲に調整し、調整後の端末機能部の送信電力に基づき受信感度を求める受信機障害試験、（３）端末機能部の受信電力値に基づき無線アナログ部からの送信電力を求める送信機障害試験、のいずれか又は複数の試験を制御するものである。
【特許文献１】特開２００５−１５１１８９号公報
【発明の開示】
【発明が解決しようとする課題】
【０００３】
しかしながら、特許文献１に示す無線基地局試験装置にあっては、１基の基地局毎に基地局試験用擬似端末ならびに制御装置が必要となり、基地局装置の構成が複雑になるとともに、基地局装置のコストアップになるという問題がある。特に、移動端末との無線通信を行う通信エリアを複数のセクタにより構成する基地局装置においては、セクタ数と同数の基地局試験用擬似端末ならびに制御装置が必要になるため、構成の複雑化及びコストアップの問題が顕著となる。
【０００４】
本発明は、このような事情に鑑みてなされたもので、専用の試験装置を備えることなく、基地局装置の動作監視を行うことができる基地局装置、基地局試験システム及び基地局試験方法を提供することを目的とする。
【課題を解決するための手段】
【０００５】
本発明は、試験項目の情報が記憶された試験項目記憶手段と、状態報告要求を移動端末に対して送信し、該状態報告要求に対する応答である使用状態報告情報を該移動端末から受信する端末状態情報収集手段と、受信した前記使用状態報告情報に基づいて、前記試験項目記憶手段に記憶されている試験項目を選択する試験項目選択手段と、前記選択した試験項目の情報を前記試験項目記憶手段から読み出し、該試験項目の情報を含む試験実施要求を前記移動端末に対して送信し、該試験実施要求に対する応答である試験結果報告情報を該移動端末から受信する試験結果情報収集手段と、前記試験結果報告情報の妥当性を判定する妥当性判定手段とを備えたことを特徴とする。
【０００６】
本発明は、移動端末における通信状態の情報に基づいて、該移動端末との間で通信を確立した基地局装置の動作試験を行う基地局試験システムであって、前記基地局装置は、状態報告要求を移動端末に対して送信し、該状態報告要求に対する応答である使用状態報告情報を該移動端末から受信する端末状態情報収集手段と、受信した前記使用状態報告情報に基づいて、前記試験項目記憶手段に記憶されている試験項目を選択する試験項目選択手段と、前記選択した試験項目の情報を前記試験項目記憶手段から読み出し、該試験項目の情報を含む試験実施要求を前記移動端末に対して送信し、該試験実施要求に対する応答である試験結果報告情報を該移動端末から受信する試験結果情報収集手段と、前記試験結果報告情報の妥当性を判定する妥当性判定手段とを備え、前記移動端末は、前記基地局装置から状態報告要求を受信し、該状態報告要求に対する応答である使用状態報告情報を前記基地局装置に対して送信する端末状態情報応答手段と、前記試験項目の情報を含む試験実施要求を前記基地局装置から受信し、該試験実施要求に対する応答である試験結果報告情報を前記該基地局装置に対して送信する試験結果情報応答手段とを備えたことを特徴とする。
【０００７】
本発明は、前記使用状態報告情報には、前記移動端末に備えた２次電池に対する充電状態の情報を含むことを特徴とする。
【０００８】
本発明は、前記使用状態報告情報には、前記移動端末の姿勢の情報を含むことを特徴とする。
【０００９】
本発明は、前記使用状態報告情報には、前記移動端末の位置情報を含むことを特徴とする。
【００１０】
本発明は、加速度を検出する検出手段をさらに含み、前記使用状態報告情報には、前記検出手段が検出した加速度に基づく情報を含むことを特徴とする。
【００１１】
本発明は、試験項目の情報が記憶された試験項目記憶手段を備えた基地局装置と、該基地局装置との間で無線通信を確立する移動端末における通信状態の情報に基づいて、前記基地局装置の動作試験を行う基地局試験システムにおける基地局試験方法であって、前記基地局装置から状態報告要求を前記移動端末に対して送信し、該状態報告要求に対する応答である使用状態報告情報を該移動端末から前記基地局装置に対して送信する端末状態情報収集ステップと、前記基地局装置が、受信した前記使用状態報告情報に基づいて、前記試験項目記憶手段に記憶されている試験項目を選択する試験項目選択ステップと、前記基地局装置が、前記選択した試験項目の情報を前記試験項目記憶手段から読み出し、該試験項目の情報を含む試験実施要求を前記移動端末に対して送信し、該試験実施要求に対する応答である試験結果報告情報を前記移動端末から前記基地局装置に対して送信する試験結果情報収集ステップと、前記基地局装置が、前記試験結果報告情報の妥当性を判定する妥当性判定ステップとを有することを特徴とする。
【発明の効果】
【００１２】
本発明によれば、移動通信の基地局が正常に動作しているか否かを、ユーザが使用する移動端末が送信する試験結果報告を用いて判定するようにしたため、基地局毎に専用の試験装置を備えることなく基地局の動作監視を行うことが可能になるという効果が得られる。このため、基地局装置の構成を簡単にすることができるともに、コストを抑えることが可能となる。また、試験を実施する直前に移動端末に対して、状態報告要求を送信し、この応答である使用状態報告に基づいて、試験するべき項目を選択するようにしたため、試験を行うのに適切な状態である移動端末を使用して試験を行うようにしたため、基地局装置の動作試験を安定的に実施することが可能になるという効果も得られる。
【発明を実施するための最良の形態】
【００１３】
以下、本発明の一実施形態による基地局試験システムを図面を参照して説明する。図１は同実施形態の構成を示すブロック図である。この図において、符号１は、試験対象の基地局である。符号２は、基地局１の通信エリア内に存在する移動端末である。符号３は、複数の基地局１を統括して管理するセンタ装置である。図１においては、１台のみの基地局１を図示したが、センタ装置３には、複数の基地局１が接続されており、各基地局１の通信エリア内に存在する移動端末２の位置登録を行っている。
【００１４】
符号１１は、基地局１の処理動作を統括して制御する制御部である。符号１２は、移動端末２との間で無線通信回線を確立して情報通信を行う無線通信部である。符号１３は、自己の通信エリア内に存在する移動端末２を使用して、自己の動作試験を実行する試験実行部である。符号１４は、移動端末２を使用して実行するべき試験の項目情報が予め記憶された試験項目記憶部であり、移動端末２の使用状態毎に実行するべき試験項目が定義されている。符号１５は、移動端末２を使用して実施した動作試験の結果の情報を記憶する試験結果記憶部である。符号１６は、動作試験を実施する直前に移動端末２に対して問い合わせすることにより取得した各移動端末毎の使用状態の情報を記憶する端末情報記憶部である。
【００１５】
符号２１は、移動端末２の処理動作を統括して制御する制御部である。符号２２は、基地局１との間で無線通信回線を確立して情報通信を行う無線通信部である。符号２３は、ＧＰＳ（Ｇｌｏｂａｌ  Ｐｏｓｉｔｉｏｎｉｎｇ  Ｓｙｓｔｅｍ）の機能を使用して、自己の位置情報を得る位置測定部である。符号２４は、基地局１からの要求に応じて、受信状況の情報や位置情報等の試験結果の応答を行う応答部である。符号３１は、複数の基地局１を管理するセンタ装置３の動作を統括して制御する制御部である。符号３２は、少なくとも移動端末の位置登録情報を記憶する端末情報記憶部である。
【００１６】
ここで、図３を参照して、基地局１と移動端末２の位置関係を説明する。ここでは、３台の移動端末２が基地局１の通信エリア内に存在するものとして説明する。移動端末２には、それぞれ端末識別情報が付与されているが、この端末識別情報を「Ａ」、「Ｂ」、「Ｃ」であるものとする。端末識別情報Ａの移動端末２は、位置測定部２３により現時点の位置情報（緯度・経度情報）を取得する。そして、移動端末２は、基地局１からの要求に応じて、取得した位置情報を基地局１へ送信する。これを受けて、基地局１は、端末識別情報Ａの移動端末２が送信した位置情報（緯度・経度情報）と、基地局１自身の位置情報（緯度・経度情報）とから、端末識別情報Ａの移動端末２の相対位置を求める。移動端末２の相対位置は、基地局１の位置を原点で表現し、東西南北の方向と距離で表現される。
【００１７】
次に、図２を参照して、図１に示す基地局試験システムの動作を説明する。
【００１８】
まず、センタ装置３の制御部３１は、端末情報記憶部３２に登録されている移動端末のうち、基地局１の動作試験に適した端末の候補を選定し、この選定した移動端末２の識別名を各基地局１に対して通知することにより、動作試験の実施を指示する（ステップＳ１）。この指示を受けた基地局１の制御部１１は、センタ装置３から通知された識別名を持つ移動端末２に対して、無線通信部１２を介して使用状態報告要求を送信する（ステップＳ２）。
【００１９】
この使用状態報告要求は、無線通信部２２を介して、制御部２１が受信する（ステップＳ３）。これを受けて、制御部２１は、現時点の自己の使用状態の情報を収集する。ここで収集する情報例には、以下の項目がある。
【００２０】
（１）オフラインで使用中（メール作成、データ通信中など）か否か。
【００２１】
（２）位置測定が可能な機種であり、現時点の位置情報が特定できているか否か。
【００２２】
（３）現在の受信レベル（ＲＳＳＩレベル）は良好か否か。
【００２３】
（４）現在移動中か否か。
【００２４】
（５）電池の充電状態（例えば満充電に対する電池残容量の値）を示す値。
【００２５】
（６）現在充電中か否か。
【００２６】
（７）充電中の端末姿勢（正規の充電台による充電か、データケーブルによる充電か）。
【００２７】
（８）端末のメーカ名、モデル名、ハード及びソフトのバージョン情報。
【００２８】
（９）加速度の検出と、検出したことを記憶できる端末であり、所定以上の加速度を検出した記憶があるか否か。
【００２９】
制御部２１は、収集した情報を応答部２４へ受け渡す。これを受けて、応答部２４は、使用状態の８項目の情報に対して移動端末２の識別名を付与し、この情報を使用状態報告要求の応答として、無線通信部２２を介して、基地局１へ送信する（ステップＳ４）。この使用状態報告要求の応答は、無線通信部１２が受信し、受信した情報を端末情報記憶部１６へ記憶する（ステップＳ５）。
【００３０】
次に、使用状態報告要求の応答が受信されると、試験実行部１３は、端末情報記憶部１６に記憶されている使用状態報告要求の応答内容の情報と、試験項目記憶部１４に記憶されている試験項目を参照して、使用状態報告要求の応答を行った移動端末２が実施可能な試験項目を選択する。ここで選択される試験項目例は、以下の５項目のいずれかまたは全てである。
【００３１】
（１）基地局１からの発呼に対し移動端末２側における受信レベルの測定（レベル及び周波数毎に、所定段階数）。
【００３２】
（２）移動端末２側からの規定レベル送信を行った場合の基地局１側における受信レベルの測定（レベル及び周波数毎に、所定段階数）。
【００３３】
（３）パフォーマンス計測（パケットのスループット、遅延時間、エラーレート、受信状態情報（ＣＩＲ）等）。
【００３４】
（４）呼処理機能の試験（発呼試験にてテストデータの送受信）。
【００３５】
（５）呼処理機能の試験（着呼試験にてテストデータの送受信）。
【００３６】
そして、試験実行部１３は、無線通信部１２を介して、端末情報記憶部１６に記憶されている移動端末の識別名を持つ移動端末２に対して、選択した試験項目の情報を含む試験実施要求を送信する（ステップＳ６）。この試験実施要求は、無線通信部２２を介して、制御部２１が受信する。試験実施要求を受けると、制御部２１は、受信した試験実施要求に含まれる試験項目の試験を実施する（ステップＳ７）。
【００３７】
制御部２１は、実施した試験の結果情報を応答部２４へ受け渡す。これを受けて、応答部２４は、試験結果情報に対して移動端末２の識別名と、位置測定部２３において取得した位置情報とを付与し、この情報を試験実施要求の応答として、無線通信部２２を介して、基地局１へ送信する（ステップＳ８）。この試験実施要求の応答である試験結果情報は、無線通信部１２が受信し、受信した情報を試験実行部１３へ出力する。これを受けて、試験実行部１３は、この試験結果情報を試験結果記憶部１５へ記憶する（ステップＳ９）。続いて、試験実行部１３は、試験結果情報を正しく受信できた場合、この試験結果情報を送信した移動端末２に対して、試験終了を通知する（ステップＳ１０）。この試験終了通知を受けた制御部２１は、試験実施直前の動作状態に戻す（ステップＳ１１）。
【００３８】
次に、試験実行部１３は、試験結果記憶部１５に記憶した試験結果情報を参照して、この試験結果の妥当性を判定する（ステップＳ１２）。この判定の結果、試験結果の妥当性が認められた場合、この試験結果情報をそのまま保存する。一方、試験結果の妥当性が認められなかった場合、この試験結果情報を試験結果記憶部１５上から削除する。
【００３９】
ここで妥当性を判断する例を記す。
【００４０】
端末の制御部２１により収集された情報のうち、（４）現在移動中か否かの情報が移動中を意味する場合電波伝搬路の変化により試験環境が変化してしまうことから妥当性が低いと判断することができる。
【００４１】
また、（５）電池の状態の情報が電池が消耗していることを示していれば、試験中に切断が発生しても直ちに基地局の障害とすることに妥当性が無いと判断することが出来る。
【００４２】
（６）現在受電中か否か、または（７）充電中の端末姿勢などの情報により、端末の位置変動が静的であるか否かを推定することが出来、試験環境が変化する度合いを試験の妥当性判断に反映することが出来る。
【００４３】
（８）端末のメーカ名、モデル名、ハード及びソフトのバージョン情報などは、試験結果とこれら情報とに相関がある場合に、特に結果の悪い端末などをグループ化して妥当性を低く判断することにより試験の制度を向上することが出来る。
【００４４】
（９）所定以上の加速度を検出した記憶があるか否かは、端末に加速度検出部２７と記憶部２５を搭載し、加速度検出部が所定以上の加速度を検出した場合に、応答部２４が記憶部２５へ検出したことを記憶するよう動作する端末であれば、経験的に端末に故障などの支障が生じる加速度を所定の加速度とすることで、故障している可能性のある端末による試験結果であることが解り、妥当性を判断することが出来る。
【００４５】
次に、試験実行部１３は、試験結果の妥当性が認められた試験結果情報が必要数だけ試験結果記憶部１５に記憶されたか否かを判定し（ステップＳ１３）、必要数揃っていなければステップＳ２へ戻り、他の移動端末２に対して試験を実行する処理を繰り返す。一方、試験結果が必要数揃った場合、試験実行部１３は、センタ装置３に対して、試験が終了したことを通知して試験処理を終了する。
【００４６】
このように、移動通信の基地局が正常に動作しているか否かを、ユーザが使用する移動端末が送信する試験結果報告を用いて判定するようにしたため、基地局毎に専用の試験装置を備えることなく基地局の動作監視を行うことが可能になる。このため、基地局装置の構成を簡単にすることができるともに、コストを抑えることが可能となる。また、試験を実施する直前に移動端末に対して、状態報告要求を送信し、この応答である使用状態報告に基づいて、試験するべき項目を選択するようにしたため、試験を行うのに適切な状態である移動端末を使用して試験を行うようにしたため、基地局装置の動作試験を安定的に実施することが可能になる。
【００４７】
なお、移動端末２からの試験結果報告を長期に亘り収集し、基地局１の長期的な変化を監視するようにしてもよい。このようにすることにより、多数の移動端末２からの受信状況報告を利用できるため、統計的に確度を向上させることができるとともに、移動端末２側の不具合の影響を取り除くことが可能となる。
【００４８】
また、本発明の移動端末は、移動通信を使用した携帯電話機や移動通信機能を有した携帯情報端末（ＰＤＡ）、モバイル端末、カーナビ装置などを含むものである。
【００４９】
なお、図１における処理部の機能を実現するためのプログラムをコンピュータ読み取り可能な記録媒体に記録して、この記録媒体に記録されたプログラムをコンピュータシステムに読み込ませ、実行することにより基地局の試験処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５１】
【図１】本発明の一実施形態の構成を示すブロック図である。
【図２】図１に示す装置及びシステムの動作を示すフローチャートである。
【図３】図１に示す基地局１と移動端末２の位置関係を示す説明図である。
【符号の説明】
【００５２】
１・・・基地局、１１・・・制御部、１２・・・無線通信部、１３・・・試験実行部、１４・・・試験項目記憶部、１５・・・試験結果記憶部、１６・・・端末情報記憶部、２・・・移動端末、２１・・・制御部、２２・・・無線通信部、２３・・・位置測定部、２４・・・応答部、２５・・・記憶部、２７・・・加速度検出部、３・・・センタ装置、３１・・・制御部、３２・・・端末情報記憶部
【図１】
2008011516.tif 000003
【図２】
2008011516.tif 000004
【図３】
2008011516.tif 000005